(57)【要約】【課題】複数枚の用紙とともに綴じ具に綴じられた場合に、綴じ具から外さなくても、綴じ具に綴じられた複数枚の用紙の区分けする枚数を変更することができるインデックスシートを提供する。【解決手段】綴じ具７０によって綴じられ、複数枚の用紙９０の索引に用いるための第１のシート１００であって、綴じ具７０が挿通される綴じ孔９８を有する取付け部１４２、取付け部１４２からのびて形成され、綴じ具７０に綴じられた用紙９０の面に接するように配置される支持部１４４、支持部１４４からのびて形成され、綴じ具７０に綴じられた用紙９０の外側に突出するインデックス部１２６、およびインデックス部１２６からのびて形成され、かつ、綴じ具７０に綴じられた複数枚の用紙９０間のいずれの間にも挿入可能なように変形可能に形成されたしおり部１４７を有する、インデックスシート１００である。【選択図】図１
2016203524.tif 000002
【特許請求の範囲】
【請求項１】
複数枚の用紙とともに綴じ具によって綴じられ、前記複数枚の用紙の索引に用いるためのインデックスシートであって、
前記綴じ具が挿通される綴じ孔を有する取付け部、
前記取付け部からのびて形成され、前記綴じ具に綴じられた用紙の面に接するように配置される支持部、
前記支持部からのびて形成され、前記綴じ具に綴じられた用紙の外側に突出するインデックス部、および
前記インデックス部からのびて形成され、かつ、前記綴じ具に綴じられた複数枚の用紙間のいずれの間にも挿入可能なように変形可能に形成されたしおり部を有する、インデックスシート。
【請求項２】
複数枚の用紙とともに綴じ具によって綴じられ、前記複数枚の用紙の索引に用いるためのインデックスシートであって、
前記綴じ具が挿通される綴じ孔を有する取付け部、
前記取付け部からのびて形成され、前記綴じ具に綴じられた用紙の面に接するように配置される支持部、
前記支持部からのびて形成され、前記綴じ具に綴じられた用紙の外側に突出するインデックス部、および
前記インデックス部に固着され、かつ、前記綴じ具に綴じられた複数枚の用紙間のいずれの間にも挿入可能なように変形可能に形成されたしおり部を有する、インデックスシート。
【請求項３】
前記インデックス部の近傍で、前記しおり部を折り曲げ可能にするために、前記しおり部に屈曲可能部が形成された、請求項１または請求項２に記載のインデックスシート。
【請求項４】
直ぐ下面に綴じられた用紙に画線を書き込むことのできる空間を形成する書込み可能部が、前記取付け部の境界および前記支持部の境界のうちの少なくとも一つに続いて形成された、請求項１ないし請求項３のいずれかに記載のインデックスシート。
【請求項５】
表紙、
前記表紙に形成された綴じ具、
前記綴じ具に綴じられた複数の用紙、および
前記複数の用紙ととともに前記綴じ具に綴じられる請求項１ないし請求項４のいずれかに記載のインデックスシートを含む、帳面。
【発明の詳細な説明】
【技術分野】
【０００１】
この発明は、インデックスシートおよびそれを含む帳面に関し、特に、綴じ具が挿通される綴じ孔を有する取付け部と、取付け部からのびて形成され、綴じ具に綴じられた用紙の面に接するように配置される支持部と、支持部からのびて形成され、綴じ具に綴じられた用紙の外側に突出するインデックス部とを有するインデックスシートおよびそれを含む帳面に関する。
【背景技術】
【０００２】
この発明の背景となる従来の見出しシートの一例が、たとえば特開平９−２９５４８７号公報に開示されている（特許文献１参照）。特許文献１に開示されている見出しシート（インデックスシート）は、規定の大きさ（日本工業規格Ａ列４番等）の一辺を短くした大きさのシートの該一辺に沿って複数組の閉じ穴（綴じ孔）を等間隔でシートに対して上下対称に設けると共に、見出し部（インデックス部）を複数組の閉じ穴のうちの片側の一組の閉じ穴の中心の延長線上の、シート上の複数組の閉じ穴と反対側に設けたものである。この見出しシートは、バインダー等のファイルに入れて書類を仕切る見出しシートにおいて、見出し位置が移動可能な見出しシートを提供することを目的として考えられたものである。
また、この発明の背景となる従来のインデックスシートの一例が、たとえば特開２００９−２５５４１６号公報に開示されている（特許文献２参照）。特許文献２に開示されているインデックスシートは、左右一対の縁部及び上下一対の縁部を有するシート本体の少なくとも一縁部に沿う内側に、折り返し可能なインデックスタブ（インデックス部）を設け、当該インデックスタブは、前記一縁部の外側に折り返すことにより前記シート本体の縁部から突出することを特徴とするものである。このインデックスシートは、汎用タイプのプリンタを用いてインデックスタブに印字を行うことのできるインデックスシートを提供することを目的として考えられたものである。
【先行技術文献】
【特許文献】
【０００３】
【特許文献１】特開平９−２９５４８７号公報
【特許文献２】特開２００９−２５５４１６号公報
【発明の概要】
【発明が解決しようとする課題】
【０００４】
特許文献１に開示されている見出しシートや特許文献２に開示されているインデックスシートは、たとえばファイルや手帳などの帳面の表紙の内側に形成されたリング綴じ具などの綴じ具に、複数枚の用紙とともに綴じられる場合がある。
この場合、特許文献１に開示されている見出しシートおよび特許文献２に開示されているインデックスシートでは、それぞれ、綴じ具に綴じられた複数枚の用紙を適宜な枚数に区分けすることができるが、綴じ具から一旦外して適宜な位置で綴じ具に綴じ直さなければ、綴じ具に綴じられた複数枚の用紙の区分けする枚数を変更することができない。したがって、複数枚の用紙の区分けする枚数を変更するのに手間が掛かっていた。
【０００５】
それゆえに、この発明の主たる目的は、複数枚の用紙とともに綴じ具に綴じられた場合に、綴じ具から外さなくても、綴じ具に綴じられた複数枚の用紙の区分けする枚数を変更することができるインデックスシートを提供することである。
この発明の他の目的は、複数枚の用紙とともに綴じ具に綴じられた場合に、綴じ具から外さなくても、綴じ具に綴じられた複数枚の用紙の区分けする枚数を容易に変更することができるインデックスシートを含む帳面を提供することである。
【課題を解決するための手段】
【０００６】
この発明に係るインデックスシートは、複数枚の用紙とともに綴じ具によって綴じられ、複数枚の用紙の索引に用いるためのインデックスシートであって、綴じ具が挿通される綴じ孔を有する取付け部、取付け部からのびて形成され、綴じ具に綴じられた用紙の面に接するように配置される支持部、支持部からのびて形成され、綴じ具に綴じられた用紙の外側に突出するインデックス部、およびインデックス部からのびて形成され、かつ、綴じ具に綴じられた複数枚の用紙間のいずれの間にも挿入可能なように変形可能に形成されたしおり部を有する、インデックスシートである。
この発明に係るインデックスシートは、複数枚の用紙とともに綴じ具によって綴じられ、複数枚の用紙の索引に用いるためのインデックスシートであって、綴じ具が挿通される綴じ孔を有する取付け部、取付け部からのびて形成され、綴じ具に綴じられた用紙の面に接するように配置される支持部、支持部からのびて形成され、綴じ具に綴じられた用紙の外側に突出するインデックス部、およびインデックス部に固着され、かつ、綴じ具に綴じられた複数枚の用紙間のいずれの間にも挿入可能なように変形可能に形成されたしおり部を有する、インデックスシートである。
好ましくは、この発明に係るインデックスシートは、インデックス部の近傍で、しおり部を折り曲げ可能にするために、しおり部に屈曲可能部が形成された、インデックスシートである。
好ましくは、この発明に係るインデックスシートは、直ぐ下面に綴じられた用紙に画線を書き込むことのできる空間を形成する書込み可能部が、取付け部の境界および支持部の境界のうちの少なくとも一つに続いて形成された、インデックスシートである。
この発明に係る帳面は、表紙、表紙に形成された綴じ具、綴じ具に綴じられた複数の用紙、および複数の用紙ととともに綴じ具に綴じられる請求項１ないし請求項４のいずれかに記載のインデックスシートを含む、帳面である。
【０００７】
この発明にかかるインデックスシートは、たとえばファイルや手帳などの帳面の表紙の内側に形成されたリング綴じ具などの綴じ具に、複数枚の用紙とともに綴じることができる。この場合、この発明にかかるインデックスシートでは、綴じ具に綴じられた複数枚の用紙を適宜な枚数に区分けすることができる。さらに、この場合、この発明にかかるインデックスシートでは、しおり部が綴じ具に綴じられた複数枚の用紙間のいずれの間にも挿入可能なように変形可能に形成されているので、綴じ具から外すことなく、綴じ具に綴じられた複数枚の用紙の区分けする枚数を変更することができる。
特に、この発明にかかるインデックスシートでは、しおり部が、インデックス部からのびて形成され、かつ、綴じ具に綴じられた複数枚の用紙間のいずれの間にも挿入可能なように変形可能に形成されている場合、多数枚の用紙を適宜な枚数に簡単に区分けすることができ、用紙をめくる際に邪魔になりにくくて用紙がめくりやすく、しかも、用紙に画線を書き込む際に邪魔になりにくくて用紙に画線を書き込みやすい。
また、この発明にかかるインデックスシートでは、しおり部が、インデックス部に取り付けられ、かつ、綴じ具に綴じられた複数枚の用紙間のいずれの間にも挿入可能なように変形可能に形成されている場合、しおり部が用紙から浮き上がりにくくて邪魔になりにくく、しかも、用紙間から外れにくい。
さらに、この発明にかかるインデックスシートにおいて、インデックス部の近傍で、しおり部を折り曲げ可能にするために、しおり部に形成された屈曲可能部により、支持部の面に近づく方向に折り曲げると、しおり部の浮き上がりを防止することができ、且つ支持部の面から遠のく方向に折り曲げると、しおり部を綴じ具に綴じられた複数枚の用紙間に挿入しやすくなる。
この発明にかかるインデックスシートにおいて、直ぐ下面に綴じられた用紙に画線を書き込むことのできる空間を形成する書込み可能部が、前記取付け部の境界および前記支持部の境界のうちの少なくとも一つに続いて形成された場合、直ぐ下面に綴じられた用紙に画線を書き込みやすい。
【発明の効果】
【０００８】
この発明によれば、複数枚の用紙とともに綴じ具に綴じられた場合に、綴じ具から外さなくても、綴じ具に綴じられた複数枚の用紙の区分けする枚数を容易に変更することができるインデックスシートおよびそれを含む帳面が得られる。
【０００９】
この発明の上述の目的、その他の目的、特徴および利点は、図面を参照して行う以下の発明を実施するための形態の説明から一層明らかとなろう。
明細書および特許請求の範囲において記載する高さ方向とは、表紙の上下方向および綴じ具の長手方向、並びに綴じ具に綴じられる用紙またはインデックスシートの綴じ代に沿う方向のことをいう。また、幅方向とは、当該高さ方向に直交する方向のことをいう。
【図面の簡単な説明】
【００１０】
【図１】この発明の一実施の形態に係る帳面の見開いた状態を示す斜視図である。
【図２】この発明の一実施の形態に係る帳面が備えるインデックスシートを用いて、複数枚の用紙の区分けする枚数を変更する様子を示す斜視図である。
【図３】図１および図２に示す帳面に用いられる表紙の見開いた状態を内側から見たときの平面図である。
【図４】図１および図２に示す帳面に用いられる表紙の見開いた状態を外側から見たときの平面図である。
【図５】図１および図２に示す帳面に用いられる表紙および綴じ具の見開いた状態を内側から見たときの平面図である。
【図６】図５に示す表紙および綴じ具のＶＩ−ＶＩ断面図である。
【図７】図１および図２に示す帳面に用いられる表紙および綴じ具の閉じた状態を表表紙部側から見たときの平面図である。
【図８】図１および図２に示す帳面に用いられる用紙を示す平面図である。
【図９】図１および図２に示す帳面に用いられる第１のシートを示す平面図である。
【図１０】しおり部を折返し部で折り返した様子を示す平面図であり、（Ａ）が表表紙側から見たときの平面図、（Ｂ）が裏表紙側から見たときの平面図である。
【図１１】図１および図２に示す帳面に用いられる第２のシートを示す平面図である。
【図１２】図１および図２に示す帳面に用いられる第３のシートを示す平面図である。
【図１３】図１および図２に示す帳面の、第１のシートが積層された複数枚の用紙の最上面となるように見開いた状態を示す平面図である。
【図１４】図１および図２に示す帳面の、第２のシートが積層された複数枚の用紙の最上面となるように見開いた状態を示す平面図である。
【図１５】図１および図２に示す帳面の、第３のシートが積層された複数枚の用紙の最上面となるように見開いた状態を示す平面図である。
【図１６】図１および図２に示す帳面の閉じた状態を表表紙部側から見た状態を示す平面図である。
【図１７】図１６に示す帳面のＸＶＩＩ−ＸＶＩＩ断面図である。
【図１８】この発明の一実施の形態に係る帳面が備える第１のシートの第１の変形例について示す平面図である。
【図１９】第１の変形例の帳面が備える第１のシートの平面図であり、（Ａ）が表表紙側から見たときの平面図、（Ｂ）が裏表紙側から見たときの平面図である。
【図２０】第２の変形例の帳面が備える第１のシートの（Ａ）が表表紙側から見たときの平面図、（Ｂ）が裏表紙側から見たときの平面図である。
【図２１】第３の変形例の帳面が備える第１のシートの（Ａ）がしおり部を除く部分の平面図であり、（Ｂ）がしおり部を示す平面図である。
【図２２】第３の変形例の帳面が備える第１のシートの平面図であり、（Ａ）が表表紙側から見たときの平面図、（Ｂ）が裏表紙側から見たときの平面図である。
【図２３】第４の変形例の帳面が備える第１のシートの第４の平面図であり、（Ａ）が表表紙側から見たときの平面図、（Ｂ）が裏表紙側から見たときの平面図である。
【図２４】第５の変形例の帳面の第１のシートが最上面となるように見開いた状態を示す平面図である。
【図２５】第５の変形例の帳面の第２のシートが最上面となるように帳面を見開いたときの平面図である。
【図２６】第５の変形例の帳面の第３のシートが最上面となるように帳面を見開いたときの平面図である。
【図２７】第６の変形例の帳面の第１のシートが最上面となるように見開いた状態を示す平面図である。
【図２８】第７の変形例の帳面の第１のシートが最上面となるように見開いた状態を示す平面図である。
【図２９】第８の変形例の帳面の第１のシートが最上面となるように見開いた状態を示す平面図である。
【図３０】第９の変形例の帳面の第１のシートが最上面となるように見開いた状態を示す平面図である。
【図３１】第１０の変形例の帳面の第１のシートが最上面となるように見開いた状態を示す平面図である。
【図３２】第１１の変形例の帳面の第１のシートが最上面となるように見開いた状態を示す平面図である。
【図３３】図２４に示す帳面のＸＸＸＩＩＩ‐ＸＸＸＩＩＩ断面図である。
【図３４】この発明の一実施の形態に係る帳面の説明で用いる方向の表記について明記した図である。
【発明を実施するための形態】
【００１１】
＜全体的な構成について＞
以下、この発明の一実施の形態に係る帳面について、図面を参照しながら説明する。図１は、この実施の形態に係る帳面の見開いた状態を示す斜視図である。また、図２は、この実施の形態に係る帳面が備えるインデックスシートを用いて、複数枚の用紙の区分けする枚数を変更する様子を示す斜視図である。この実施の形態に係る帳面１０は、図１に示すように、ポリプロピレンなどの合成樹脂などで形成された表紙１２と、表紙１２の内面に固定された綴じ具７０と、綴じ具７０によって表紙１２に綴じられた複数枚の用紙９０と、同じく綴じ具７０によって表紙１２に綴じられた透明または半透明のポリプロピレンなどの合成樹脂等で形成されたインデックスシート１００とを備える。なお、インデックスシート１００は、ともに綴じ具７０によって綴じられる複数枚の用紙９０よりも剛性の高いその他の材料、例えば、厚紙などで形成されてもよい。
【００１２】
インデックスシート１００は、綴じ具７０に一緒に綴じられた複数枚の用紙９０の索引に用いるためのものであり、第１のシート１４０、第２のシート１２０および第３のシート１６０を含む。第１のシート１４０、第２のシート１２０および第３のシート１６０それぞれは、後述するインデックス部１４６，１２６，１６６をそれぞれ有するが、そのインデックス部１４６，１２６，１６６は、高さ方向において互いに異なる位置に形成される。
【００１３】
綴じ具７０は、その端部が開閉可能な複数のリング部８０を含み、複数のリング部８０の端部を開閉させて、表紙１２に用紙９０および第１のシート１４０、第２のシート１２０および第３のシート１６０を綴じ込む。積層された複数枚の用紙９０の最も上にある用紙９０の上面（すなわち、最上面）に第１のシート１４０が綴じられ、その次に複数枚のうちの何枚かの用紙９０が綴じられ、その次に第２のシート１２０が綴じられ、その次に複数枚のうちの何枚かの用紙９０が綴じられ、その次に第３のシート１６０が綴じられ、最後に複数枚のうちの残りの用紙９０が綴じられる。
【００１４】
＜表紙１２について＞
図３は、図１に示す帳面に用いられる表紙の見開いた状態を内側から見たときの平面図である。また、図４は、図１に示す帳面に用いられる表紙の見開いた状態を外側から見たときの平面図である。表紙１２は、図３および図４に示すように、表表紙部２０と、裏表紙部４０と、表表紙部２０および裏表紙部４０を接続する背表紙部６８とを含む。
【００１５】
表表紙部２０は、背表紙部６８側の端辺に沿って直線状に並んで形成された複数のリング嵌合孔２２と、複数のリング嵌合孔２２のうちの中央に配設された２つのリング嵌合孔２２の間に突設された仮留め凸部２４と、背表紙部６８と反対側の端辺を抉るように、湾曲して凹むように形成された表インデックス覗見凹部３０とを有する。リング嵌合孔２２それぞれは、背表紙部６８の長手方向（すなわち、表紙１２の高さ方向）に直交した方向にのびる略矩形状に形成される。また、リング嵌合孔２２それぞれの幅方向（すなわち、表紙１２の幅方向）の寸法は、リング部８０のそれよりもやや大きい。仮留め凸部２４は、表表紙部２０の内面２０ａから突出する部分と、２つのリング嵌合孔２２の互いに対向する側壁から突出する部分とを有する。
【００１６】
表インデックス覗見凹部３０は、表紙１２を閉じた状態にしても、表表紙部２０の側から後述するインデックス部１４６，１２６，１６６を視認できるようにするために設けられる。表インデックス覗見凹部３０は、互いに高さ方向に並ぶように連続的に形成された第１の表インデックス覗見凹部３４と、第２の表インデックス覗見凹部３２と、第３の表インデックス覗見凹部３６とを有する。また、第１の表インデックス覗見凹部３４が後述する第１のシート１４０のインデックス部１４６に対応した位置に形成され、第２の表インデックス覗見凹部３２が後述する第２のシート１２０のインデックス部１２６に対応した位置に形成され、第３の表インデックス覗見凹部３６が後述する第３のシート１６０のインデックス部１６６に対応した位置に形成される。
【００１７】
裏表紙部４０は、その内面４０ａに、背表紙部６８側の端辺に沿って直線状に形成された固定部４２と、固定部４２に対向するように直線状に形成された係合部５２と、背表紙部６８とは反対側の端辺を抉るように、湾曲して凹むように形成された裏インデックス覗見凹部６０とを有する。固定部４２は、綴じ具７０を固定するために配設されるものであり、背表紙部６８側の端辺に沿って直線状に凹む固定凹部４４と、固定凹部４４上に直線状に互いに所定の距離だけ離間して並んで突設される複数の第１の固定凸孔４６とを有する。第１の固定凸孔４６それぞれは、固定凹部４４の延在する方向（すなわち、表紙１２の高さ方向）に貫通する孔を有する。また、係合部５２は、綴じ具７０のリング部８０の他方の端部８０ｂを係合するために配設されるものであり、直線状に並んで形成される複数の係合凹部５４と、複数の係合凹部５４の間に同一直線状に並んで形成される複数の係合孔５６とを有する。
【００１８】
裏インデックス覗見凹部６０は、表紙１２を閉じた状態にしても、裏表紙部４０の側から後述するインデックス部１４６，１２６，１６６を視認できるようにするために設けられる。裏インデックス覗見凹部６０は、上述した表インデックス覗見凹部３０を鏡映したような形状を有する。すなわち、裏インデックス覗見凹部６０は、互いに連続的に形成された第１の裏インデックス覗見凹部６４と、第２の裏インデックス覗見凹部６２と、第３の裏インデックス覗見凹部６６とを有する。また、第１の裏インデックス覗見凹部６４が後述する第１のシート１４０のインデックス部１４６に対応した位置に形成され、第２の裏インデックス覗見凹部６２が後述する第２のシート１２０のインデックス部１２６に対応した位置に形成され、第３の裏インデックス覗見凹部６６が後述する第３のシート１６０のインデックス部１６６に対応した位置に形成される。
【００１９】
＜綴じ具７０について＞
図５は、図１および図２に示す帳面に用いられる表紙および綴じ具の見開いた状態を内側から見たときの平面図である。また、図６は、図５に示す表紙および綴じ具のＶＩ−ＶＩ断面図である。綴じ具７０は、図５および図６に示すように、長手方向にのびる軸部材７２と、軸部材７２上に一体的に等間隔に並んで形成された複数のリング部８０とを含む。軸部材７２は、背表紙部６８に沿ってのびる本軸部７４と、本軸部７４の背表紙部６８側に直線状に互いに所定の距離だけ離間して並んで突設される複数の第２の固定凸孔７６とを有する。第２の固定凸孔７６それぞれは、軸部材７２がのびる方向に貫通する孔を有する。また、第２の固定凸孔７６それぞれは、上述した直線状に互いに所定の距離だけ離間して並んで形成される第１の固定凸孔４６の間に入り込むように形成される。
【００２０】
すなわち、軸部材７２の第２の固定凸孔７６と、裏表紙部４０の第１の固定凸孔４６とが交互に背表紙部６８に沿って直線状に並ぶ態様になる。したがって、第２の固定凸孔７６が有する孔と、裏表紙部４０の第１の固定凸孔４６が有する孔とが直線状に連なって、一つの軸孔２１０を形成する。この軸孔２１０に長手方向にのびる棒部材２２０を挿通することにより、綴じ具７０を裏表紙部４０に形成された固定部４２に固定する。なお、綴じ具７０の両端部に位置する第２の固定凸孔７６それぞれの孔の端部側は塞がれており、この形状により棒部材２２０が位置決めされる。綴じ具７０は、リング部材８０の他方の端部８０ｂそれぞれが上述した裏表紙部４０に形成される係合凹部５４または係合孔５６に係合されることにより、綴じた状態になる。また、綴じ具７０は、リング部材８０の他方の端部８０ｂそれぞれと、係合凹部５４それぞれ、または係合孔５６それぞれとの係合が外れることにより、開いた状態になる。
【００２１】
図７は、図１および図２に示す帳面に用いられる表紙および綴じ具の閉じた状態を表表紙部側から見たときの平面図である。図７に示すように、綴じ具７０を固定した状態で表紙１２を閉じると、リング部８０の上方部分が表表紙部２０に形成されたリング嵌合孔２２に嵌合する。このような構造を有することにより、綴じ具７０を固定した表紙１２は、その閉じた状態の厚さを薄くすることができる。また、仮留め凸部２４の中央の２つのリング嵌合孔２２の互いに対向する側壁から突出する部分が、リング部８０上端の内側に入り込むため、表表紙部２０が綴じ具７０によって仮留めされ、表紙１２および綴じ具７０を閉じた状態を維持することができる。
【００２２】
＜用紙９０について＞
図８は、図１および図２に示す帳面に用いられる用紙を示す平面図である。用紙９０は、図８に示すように、略矩形状であり、幅方向の一方の端辺には、リング部８０それぞれに対応した位置に綴じ孔９８が形成される。綴じ孔９８は、リング部８０を挿通するために設けられる。用紙９０を平面視したときの面積は、表表紙部２０または裏表紙部４０を平面視したときの面積よりやや小さい。すなわち、裏表紙部４０に固定された綴じ具７０に用紙９０を綴じ、表紙１２を閉じた状態にして平面視すると、表表紙部２０が被さって、用紙９０を視認できない態様となる。この綴じ孔９８それぞれに上述したリング部８０の他方の端部８０ｂそれぞれが挿通されることにより、用紙９０は綴じ具７０に綴じられる。綴じ孔９８それぞれを平面視したときの面積は、リング部８０それぞれをその延びる方向に直交して切断したときの断面積よりも大きい。こうすることにより、用紙９０の綴じ孔９８それぞれにリング部８０それぞれを挿通することができ、且つ綴じ具７０に綴じられた状態の用紙９０をスムーズにめくることができる。
【００２３】
＜インデックスシート１００について＞
インデックスシート１００は、綴じ具７０に一緒に綴じられた複数枚の用紙９０の索引に用いるためのものであり、複数枚存在する。
インデックスシート１００は、第１のシート１４０、第２のシート１２０および第３のシート１６０を含む。第１のシート１４０、第２のシート１２０および第３のシート１６０それぞれは、後述するインデックス部１４６，１２６，１６６をそれぞれ有するが、そのインデックス部１４６，１２６，１６６が、高さ方向において互いに異なる位置に形成される。
【００２４】
＜第１のシート１４０について＞
図９は、図１および図２に示す帳面に用いられる第１のシートを示す平面図である。第１のシート１４０は、長手方向にのび、その幅方向の一方の端辺が綴じ具７０に綴じられる取付け部１４２と、取付け部１４２の幅方向の他方の端辺からのびるように形成された支持部１４４とを含む。取付け部１４２および支持部１４４を合わせた幅方向の寸法は、一緒に綴じられる用紙９０の幅方向の寸法にほぼ等しい。また、支持部１４４の先端には、用紙９０とともに綴じ具７０に綴じられたときに、用紙９０の外側（図中右側）に突出するインデックス部１４６が形成される。また、インデックス部１４６の先端からのびるように、しおり部１４７が形成される。取付け部１４２と、支持部１４４と、インデックス部１４６と、しおり部１４７とは、一体的に形成される。
【００２５】
取付け部１４２は、高さ方向に直線状に並べて形成された複数の綴じ孔１４８と、複数の綴じ孔１４８の近傍部分とからなり、高さ方向にのびている。支持部１４４は、インデックス部１４６を支持するものである。第１のシート１４０のインデックス部１４６には、用紙９０に表された情報の索引となる文字が記載される。
【００２６】
取付け部１４２の幅方向の一方の端辺には、リング部８０それぞれに対応した位置にリング部８０それぞれを挿通するための綴じ孔１４８が形成される。この綴じ孔１４８それぞれに上述したリング部８０の他方の端部８０ｂそれぞれが挿通されることにより、第１のシート１４０は綴じ具７０に綴じられる。綴じ孔１４８それぞれを平面視したときの面積は、上述した用紙９０の綴じ孔９８のそれとほぼ等しいかやや大きい。すなわち、綴じ孔１４８それぞれを平面視したときの面積は、リング部８０それぞれをその延びる方向に直交して切断したときの断面積とほぼ等しいかやや大きい。こうすることにより、第１のシート１４０の綴じ孔１４８それぞれにリング部８０それぞれを挿通することができ、且つ綴じ具７０に綴じられた状態の第１のシート１４０をスムーズにめくることができる。また、複数の綴じ孔１４８のうちで一方の端部に位置する綴じ孔１４８と、他方の端部に位置する綴じ孔１４８との間の距離（図中「Ｗ１」）は、インデックス部の高さ方向の寸法（図中「Ｗ２」）よりも大きい。すなわち、第１のシート１４０の複数の綴じ孔１４８は、複数の綴じ孔１４８の並ぶ方向において、インデックス部１４６の高さ方向の寸法よりも長い部分に間隔を隔てて形成される。
【００２７】
なお、第１のシート１４０は、上記したようにポリプロピレンなどの合成樹脂で形成されるため、用紙９０に比べて剛性が高い。したがって、第１のシート１４０は、直ぐ下面に綴じられた用紙９０を良好に保護することができる。具体的には、第１のシート１４０は、直ぐ下面に綴じられた用紙９０がしわになったり、破れたりして傷んでしまうことを抑制することができる。また、第１のシート１４０は、直ぐ下面に綴じられる用紙９０の綴じ孔９８の近傍も保護するため、用紙９０の綴じ孔９８の端縁が綴じ具７０のリング部８０にこすれる等して広がってしまうことも抑制できる。さらに、第１のシート１４０は、下面に綴じられた用紙９０とともに把持してめくることにより、用紙９０の綴じ具７０に関する回転（すなわち、頁をめくる動作）をサポートすることもできる。
【００２８】
図１０は、しおり部１４７を折返し部１４６ａで折り返した様子を示す平面図であり、図１０（Ａ）が表表紙側から見たときの平面図、図１０（Ｂ）が裏表紙側から見たときの平面図である。なお、図１０（Ａ）において、しおり部１４７の支持部１４４が被さって見えない部分を破線で示してある。しおり部１４７は、インデックス部１４６の先端からのびるように形成される。しおり部１４７は、インデックス部１４６の先端と一体的に形成される。しおり部１４７と、インデックス部１４６とは、図９中一点鎖線で示す互いの接続部である折返し部１４６ａで表紙１２の側に折返し可能である。折返し部１４６ａの上端には、下方に切り欠くように形成された切欠き部１４６ｂが形成される。また、折返し部１４６ａの下端には、上方に切り欠くように形成された切欠き部１４６ｃが形成される。切欠き部１４６ｂ、１４６ｃを形成することにより、しおり部１４７を表紙１２の側に折り返し易くすることができる。しおり部１４７は、インデックス部１４６からのびて形成され、かつ、綴じ具７０に綴じられた複数枚の用紙９０間のいずれの間にも挿入可能なように変形可能に形成される。しおり部１４７は、略矩形状に形成される。また、しおり部１４７の用紙９０の外側に飛び出した部分は、平面視したとき、インデックス部１４６と完全に重なり合う。また、しおり部１４７は、合成樹脂などの材料で形成されるため、全体的に撓むことができる。
【００２９】
＜第２のシート１２０について＞
図１１は、図１および図２に示す帳面に用いられる第２のシートを示す平面図である。第２のシート１２０は、その構成が、インデックス部１２６の形成される位置、およびしおり部が形成されないことを除いて、上述した第１のシート１４０と同様である。すなわち、第２のシート１２０は、長手方向にのび、その幅方向の一方の端辺が綴じ具７０に綴じられる取付け部１２２と、取付け部１２２の幅方向の他方の端辺からのびるように形成された支持部１２４とを含む。取付け部１２２および支持部１２４を合わせた幅方向の寸法は、一緒に綴じられる用紙９０の幅方向の寸法にほぼ等しい。また、支持部１２４の先端には、用紙９０とともに綴じ具７０に綴じられたときに、用紙９０の外側（図中右側）に突出するインデックス部１２６が形成される。取付け部１２２と、支持部１２４と、インデックス部１２６とは、一体的に形成されている。
【００３０】
取付け部１２２の幅方向の一方の端辺には、リング部８０それぞれに対応した位置にリング部８０それぞれを挿通するための綴じ孔１２８が形成される。綴じ孔１２８それぞれを平面視したときの面積は、上述した用紙９０および第１のシート１４０のそれとほぼ等しい。また、複数の綴じ孔１２８のうちで一方の端部に位置する綴じ孔１２８と、他方の端部に位置する綴じ孔１２８との間の距離（図中「Ｗ１」）は、インデックス部１２６の高さ方向の寸法（図中「Ｗ２」）よりも大きい。すなわち、第２のシート１２０の複数の綴じ孔１２８は、複数の綴じ孔１２８の並ぶ方向において、インデックス部１２６の高さ方向の寸法よりも長い部分に間隔を隔てて形成される。
【００３１】
＜第３のシート１６０について＞
図１２は、図１および図２に示す帳面に用いられる第３のシートを示す平面図である。第３のシート１６０は、図１２に示すように、その構成が、インデックス部１６６の形成される位置を除いて、上述した第２のシート１２０と同様である。すなわち、第３のシート１６０は、長手方向にのび、その幅方向の一方の端辺が綴じ具７０に綴じられる取付け部１６２と、取付け部１６２の幅方向の他方の端辺からのびるように形成された支持部１６４と、支持部１６４の先端からのびるように形成されたインデックス部１６６とを含む。取付け部１６２および支持部１６４を合わせた幅方向の寸法は、一緒に綴じられる用紙９０の幅方向の寸法にほぼ等しい。支持部１６４の先端には、用紙９０とともに綴じ具７０に綴じられたときに、用紙９０の外側（図中右側）に突出するインデックス部１６６が形成される。取付け部１６２と、支持部１６４と、インデックス部１６６とは、一体的に形成されている。
【００３２】
また、取付け部１６２の幅方向の一方の端辺には、リング部８０それぞれに対応した位置にリング部８０それぞれを挿通するための綴じ孔１６８が形成される。綴じ孔１６８それぞれを平面視したときの面積は、上述した用紙９０、第１のシート１２０および第２のシート１４０のそれとほぼ等しい。また、複数の綴じ孔１６８のうちで一方の端部に位置する綴じ孔１６８と、他方の端部に位置する綴じ孔１６８との間の距離（図中「Ｗ１」）は、インデックス部１６６の高さ方向の寸法（図中「Ｗ２」）よりも大きい。すなわち、第３のシート１６０の複数の綴じ孔１６８は、複数の綴じ孔１６８の並ぶ方向において、インデックス部１６６の高さ方向の寸法よりも長い部分に間隔を隔てて形成される。
【００３３】
＜帳面１０の詳細について＞
図１３は、図１および図２に示す帳面の、第１のシートが積層された複数枚の用紙の最も上にある用紙の上面（すなわち、最上面）となるように見開いた状態を示す平面図である。図１３に示す帳面１０は、表紙１２に綴じ具７０を固定し、この綴じ具７０に、第１のシート１４０、複数枚の用紙９０、第２のシート１２０、複数枚の用紙９０、第３のシート１６０および複数枚の用紙９０を順に綴じることにより得る。表紙１２に固定された綴じ具７０に、第１のシート１４０、第２のシート１２０、第３のシート１６０および複数枚の用紙９０を綴じる手順は、下記の通りである。
【００３４】
はじめに、綴じ具７０のリング部８０の他方の端部８０ｂそれぞれと、裏表紙部４０に形成される係合凹部５４それぞれおよび係合孔５６それぞれとの係合を外して、リング部８０それぞれを裏表紙部４０に対して開いた状態にする。次に、リング部８０それぞれを、その他方の端部８０ｂそれぞれから、第１のシート１４０の綴じ孔１４８それぞれ、第２のシート１２０の綴じ孔１２８それぞれ、第３のシート１６０の綴じ孔１６８それぞれおよび複数枚の用紙９０の綴じ孔９８それぞれに挿通する。最後に、リング部８０の他方の端部８０ｂそれぞれと、裏表紙部４０に形成される係合凹部５４それぞれおよび係合孔５６それぞれとを係合させることにより、第１のシート１４０、第２のシート１２０、第３のシート１６０および複数枚の用紙９０が綴じられた帳面１０を得る。
【００３５】
このようにして得られた帳面１０の第１のシート１４０は、その取付け部１４２に直線状に並べて形成された複数の綴じ孔１４８のうちで一方の端部に位置する綴じ孔１４８と、他方の端部に位置する綴じ孔１４８との間の距離が、インデックス部１４６の高さ方向の寸法よりも大きいことにより、綴じ孔１４８それぞれとリング部８０それぞれとの間の隙間により生じるぐらつきが抑制され、安定した状態で綴じ具７０に綴じられる。すなわち、第１のシート１４０の複数の綴じ孔１４８が、複数の綴じ孔１４８の並ぶ方向において、インデックス部（第１のシート１４０）の高さ方向の寸法より長い部分に間隔を隔てて形成されることにより、綴じ孔１４８それぞれとリング部８０それぞれとの間の隙間により生じるぐらつきが抑制され、安定した状態で綴じ具７０に綴じられる。
【００３６】
支持部１４４が、下面に綴じられる用紙９０上を用紙９０の幅方向にのび、その先端のインデックス部１４６が用紙９０の外側に突出する。また、インデックス部１４６の先端からは、しおり部１２７がのびるように形成される。
【００３７】
図１４は、図１および図２に示す帳面の、第２のシートが積層された複数枚の用紙の最も上にある用紙の上面（すなわち、最上面）となるように見開いた状態を示す平面図である。帳面１０の第２のシート１２０は、その取付け部１２２に直線状に並べて形成された複数の綴じ孔１２８のうちで一方の端部に位置する綴じ孔１２８と、他方の端部に位置する綴じ孔１２８との間の距離が、インデックス部１２６の高さ方向の寸法よりも大きいことにより、綴じ孔１２８それぞれとリング部８０それぞれとの間の隙間により生じるぐらつきが抑制され、安定した状態で綴じ具７０に綴じられる。すなわち、第２のシート１２０の複数の綴じ孔１２８が、複数の綴じ孔１２８の並ぶ方向において、インデックス部（第２のシート１４０）の高さ方向の寸法よりも長い部分に間隔を隔てて形成されることにより、綴じ孔１２８それぞれとリング部８０それぞれとの間の隙間により生じるぐらつきが抑制され、安定した状態で綴じ具７０に綴じられる。
【００３８】
また、帳面１０の第２のシート１２０は、その支持部１２４が、下面に綴じられる用紙９０上を用紙９０の幅方向にのび、その先端のインデックス部１２６が用紙９０の外側に突出する。
【００３９】
図１５は、図１および図２に示す帳面の、第３のシートが積層された複数枚の用紙の最も上にある用紙の上面（すなわち、最上面）となるように見開いた状態を示す平面図である。帳面１０の第３のシート１６０は、その取付け部１６２に直線状に並べて形成された複数の綴じ孔１６８のうちで一方の端部に位置する綴じ孔１６８と、他方の端部に位置する綴じ孔１６８との間の距離が、インデックス部１６６の寸法よりも大きいことにより、綴じ孔１６８それぞれとリング部８０それぞれとの間の隙間により生じるぐらつきが抑制され、安定した状態で綴じ具７０に綴じられる。すなわち、第３のシート１６０の複数の綴じ孔１６８が、複数の綴じ孔１６８の並ぶ方向において、インデックス部（第３のシート１６０）の高さ方向の寸法よりも長い部分に間隔を隔てて形成されることにより、綴じ孔１６８それぞれとリング部８０それぞれとの間の隙間により生じるぐらつきが抑制され、安定した状態で綴じ具７０に綴じられる。
【００４０】
また、帳面１０の第３のシート１６０は、その支持部１６４が、下面に綴じられる用紙９０上を用紙９０の幅方向にのび、その先端のインデックス部１６６が用紙９０の外側に突出する。
【００４１】
図１６は、図１および図２に示す帳面の閉じた状態を表表紙部側から見た状態を示す平面図である。第２のシート１２０のインデックス部１２６が、第１のシート１４０のインデックス１４６のすぐ上側に位置するようになる。また、第３のシート１６０の先端のインデックス部１６６が、第１のシート１４０のインデックス部１４６のすぐ下側に位置するようになる。すなわち、第１のシート１４０のインデックス部１４６、第２のシート１２０のインデックス部１２６および第３のシート１６０のインデックス部１６６が表表紙部２０の高さ方向に連続的に並んだ態様となる。
【００４２】
また、表表紙部２０における第１のシート１４０のインデックス部１４６に対応した位置に第１の表インデックス覗見凹部３４が形成されることにより、帳面１０が閉じられて表表紙部２０がその上面に被さった状態になっても、インデックス部１４６を視認することができる。同様に、表表紙部２０における第２のシート１２０のインデックス部１２６に対応した位置に第２の表インデックス覗見凹部３２が形成されることにより、帳面１０が閉じられて表表紙部２０がその上面に被さった状態になっても、インデックス部１２６を視認することができる。同様に、表表紙部２０における第３のシート１６０のインデックス部１６６に対応した位置に第３の表インデックス覗見凹部３６が形成されることにより、帳面１０が閉じられて表表紙部２０がその上面に被さった状態になっても、インデックス部１６６を視認することができる。なお、裏表紙部４０においても、同様の態様で第１の裏インデックス覗見凹部６４、第２の裏インデックス覗見凹部６２および第３の裏インデックス覗見凹部６６が形成されるため、帳面１０を閉じた状態を裏表紙部４０側から見た場合でも、第１のシート１４０のインデックス部１４６、第２のシート１２０のインデックス部１２６および第３のシート１６０のインデックス部１６６を視認することができる。また、上述した通り、綴じ具７０を固定した状態で表紙１２を閉じると、リング部８０の上方部分が表表紙部２０に形成されたリング嵌合孔２２に嵌合する。このような構造を有することにより、綴じ具７０を固定した表紙１２は、その閉じた状態の厚さを薄くすることができる。
【００４３】
図１７は、図１６に示す帳面のＸＶＩＩ−ＸＶＩＩ断面図である。図１７に示すように、第１のシート１４０のしおり部１４７は、インデックス部１４６との接続部である折返し部１４６ａで表紙１２の側に折り返され、綴じ具７０に綴じられた複数枚の用紙９０間に挿入される。この実施の形態にかかる第１のシート１４０では、しおり部１４７が綴じ具７０に綴じられた複数枚の用紙９０間のいずれの間にも挿入可能なように変形可能に形成されているので、綴じ具７０から外すことなく、綴じ具７０に綴じられた複数枚の用紙９０の区分けする枚数を容易に変更することができる。特に、この実施の形態に係る第１のシート１４０では、しおり部１４７が、インデックス部１４６からのびて形成され、かつ、綴じ具７０に綴じられた複数枚の用紙９０間のいずれの間にも挿入可能なように変形可能に形成されているため、多数枚の用紙９０を適宜な枚数に簡単に区分けすることができ、用紙９０をめくる際に邪魔になりにくくて用紙９０がめくりやすく、しかも、用紙９０に画線を書き込む際に邪魔になりにくくて用紙９０に画線を書き込みやすい。また、第１のシート１４０は、合成樹脂などにより形成されているため、全体的に撓むことができる。したがって、適宜撓ませながら、複数枚の用紙９０の間に容易に挿入することができる。また、しおり部１４７は、略矩形状であり、平面視したとき、用紙９０の外側に飛び出した部分がインデックス部１４６と完全に重なり合うため、コンパクトに、しかも、見た目にも綺麗に綴じ具７０に綴じられた複数枚の用紙９０の区分けする枚数をより容易に変更することができる。
【００４４】
＜第１の変形例について＞
図１８は、この発明の一実施の形態に係る帳面が備える第１のシートの第１の変形例について示す平面図である。また、図１９は、この変形例のしおり部１４７を折返し部１４６ａで折り返した様子を示す平面図であり、図１０（Ａ）が表表紙側から見たときの平面図、図１０（Ｂ）が裏表紙側から見たときの平面図である。なお、図１０（Ａ）において、しおり部１４７の支持部１４４が被さって見えない部分を破線で示してある。この変形例の帳面１０は、しおり部１４７において、インデックス部１４６の先端側端辺の近傍に屈曲可能部１４９が形成されることを除いて、上記した実施の形態に係る帳面１０と同様である。したがって、同一の構成には同じ参照番号を付し、同様となる説明は繰り返さない。
【００４５】
この変形例の第１のシート１４０のインデックス部１４６の先端側端辺の近傍には、図１８中一点鎖線で示す屈曲可能部１４９が形成される。しおり部１４７の屈曲可能部１４９を形成することにより、支持部１４４の面に近づく方向に折り曲げると、しおり部１４７の浮き上がりを防止することができ、且つ支持部１４４の面から遠のく方向に折り曲げると、しおり部１４７を綴じ具７０に綴じられた複数枚の用紙９０間に挿入しやすくなる。なお、屈曲可能部１４９の上端と下端それぞれに切欠き部を設けてもよい。こうすることにより、屈曲可能部１４９を屈曲させ易くすることができる。なお、屈曲可能部１４９は、トムソン罫であってもよいし、ミシン目であってもよい。
【００４６】
＜第２の変形例について＞
図２０は、この発明の一実施の形態に係る帳面が備える第１のシートの第２の変形例についての平面図であり、図２０（Ａ）が表表紙側から見たときの平面図、図２０（Ｂ）が裏表紙側から見たときの平面図である。この変形例の帳面１０は、第１のシート１４０のインデックス部１４６と、しおり部１４７とを互いに固着するための固着部１４５ａ，１４５ｂが形成されることを除いて、上記した実施の形態に係る帳面１０と同様である。したがって、同一の構成には同じ参照番号を付し、同様となる説明は繰り返さない。
【００４７】
この変形例の第１のシート１４０のインデックス部１４６と、折返し部１４６ａで折り返されたしおり部１４７とは、平面視したとき、用紙１０の外側に突出する部分において互いに対向する面同士が固着される。具体的には、インデックス部１４６の上端縁近傍の固着部１４５ａと、インデックス部１４６の下端縁近傍の固着部１４５ｂとが固着される。なお、固着部１４５ａ，１４５ｂは、インデックス部１４６の幅方向の略中央よりも、ともに綴じられる複数枚の用紙９０から離れて形成されることが好ましい。なお、固着部１４５ａ，１４５ｂは、ドット状である。このように、インデックス部１４６と、しおり部１４７の平面視したときインデックス部１４６と重なり合う部分を互いに固着することにより、しおり部１４７が用紙９０から浮き上がりにくくて邪魔になりにくく、しかも、用紙９０間から外れにくい。なお、固着部１４５ａ、１４６ｂは、超音波溶着により形成されることが好ましい。しかしながら、熱溶着などその他の溶着方法を用いてもよいし、接着剤などを用いた他の方法で固着してもよい。また、固着部１４５ａ、１４６ｂの２箇所でドット状に固着する場合について説明したが、この場合に限られず、平面視略中央の一箇所のみドット状に固着してもよいし、３箇所以上ドット状に固着してもよいし、ドット状以外の態様で固着してもよい。例えば、互いの全面を固着してもよい。
【００４８】
＜第３の変形例について＞
図２１は、この発明の一実施の形態に係る帳面が備える第１のシートの第３の変形例について示す平面図であり、図２１（Ａ）がしおり部１４７を除く部分の平面図であり、図２１（Ｂ）がしおり部１４７を示す平面図である。また、図２２は、この変形例についての平面図であり、図２２（Ａ）が表表紙側から見たときの平面図、図２２（Ｂ）が裏表紙側から見たときの平面図である。この変形例の帳面１０は、しおり部１４７が別部材であることを除いて、上記した第２の変形例の帳面１０と同様である。したがって、同一の構成には同じ参照番号を付し、同様となる説明は繰り返さない。
【００４９】
この変形例に係るしおり部１４７は、図２１に示すように、しおり部１４７のみ別部材である。そして、図２２に示すように、別部材としてのしおり部１４７は、インデックス部１４６と固着部１４５ａ，１４５ｂで固着される。この第３の変形例の帳面１０が奏する効果は、上記した第２の変形例の帳面１０のそれと同様であるため、ここでは同様となる説明を繰り返さない。
【００５０】
＜第４の変形例について＞
図２３は、この発明の一実施の形態に係る帳面が備える第１のシートの第４の変形例について示す平面図であり、図２３（Ａ）が表表紙側から見たときの平面図、図２３（Ｂ）が裏表紙側から見たときの平面図である。この変形例の帳面１０は、しおり部１４７において、インデックス部１４６の先端側端辺の近傍に屈曲可能部１４９が形成されることを除いて、上記した実施の形態に係る帳面１０と同様である。したがって、同一の構成には同じ参照番号を付し、同様となる説明は繰り返さない。この変形例の第１のシート１４０は、しおり部１４７と、インデックス部１４６とが、上記した第２の変形例および第３の変形例と同様に固着部１４５ａ，１４５ｂにより固着されており、且つしおり部１４７のインデックス部１４６の先端側端辺の近傍には、図２３（Ｂ）中一点鎖線で示す屈曲可能部１４９が形成される。これにより、屈曲可能部１４７を支持部１４４の面に近づく方向に折り曲げると、しおり部１４７の浮き上がりを防止することができ、且つ屈曲可能部１４７を支持部１４４の面から遠のく方向に折り曲げると、しおり部１４７を綴じ具７０に綴じられた複数枚の用紙９０間に挿入しやすくなる。
【００５１】
＜第５の変形例について＞
図２４は、この発明の一実施の形態に係る帳面の第５の変形例の第１のシートが積層された複数枚の用紙の最も上にある用紙の上面（すなわち、最上面）となるように見開いた状態を示す平面図である。この変形例に係る第１のシート１４０は、長手方向にのび、その幅方向の一方の端辺が綴じ具７０に綴じられる帯状の取付け部１４２と、取付け部１４２の幅方向の他方の端辺の略中央部よりも上側から帯状にのびるように形成された支持部１４４とを含む。ここで、略中央部よりも上側とは、支持部１４４の幅方向の寸法だけ略中央部よりも上側のことをいう。取付け部１４２および支持部１４４を合わせた幅方向の寸法は、一緒に綴じられる用紙９０の幅方向の寸法にほぼ等しい。また、支持部１４４の先端には、用紙９０とともに綴じ具７０に綴じられたときに、用紙９０の外側（図中右側）に突出するインデックス部１４６が形成される。また、インデックス部１４６の先端からのびるようにしおり部１２７が形成される。取付け部１４２と、支持部１４４と、インデックス部１４６と、しおり部１２７とは一体的に形成されている。
【００５２】
取付け部１４２は、高さ方向に直線状に並べて形成された複数の綴じ孔１４８と、複数の綴じ孔１４８の近傍部分とからなり、高さ方向にのびている。支持部１４４は、インデックス部１４６を支持するもので、その軸線方向（Ｌ２方向）が取付け部１４２の軸線方向（Ｌ１方向）と交差する方向にのびる。インデックス部１４６は、その軸線方向（Ｌ３方向）が取付け部１４２の軸線方向（Ｌ１方向）に沿って情報を記入できるだけの高さ方向および幅方向の寸法を備えている。また、インデックス部１４６の軸線は、用紙９０の高さ方向にのびている。
【００５３】
支持部１４４およびインデックス部１４６は、綴じ孔１４８（および綴じ孔９８）が並ぶ方向における寸法（すなわち、高さ方向の寸法）が等しい略矩形状であり、互いに一体的に形成される。また、支持部１４４の幅方向の寸法は、取付け部１４２の幅方向の寸法よりも小さい。また、第１のシート１４０のインデックス部１４６には、用紙９０に表された情報の索引となる「ＤＩＡＲＹ」の文字が記載される。
【００５４】
取付け部１４２の幅方向の一方の端辺には、リング部８０それぞれに対応した位置にリング部８０それぞれを挿通するための綴じ孔１４８が形成される。複数の綴じ孔１４８のうちで一方の端部に位置する綴じ孔１４８と、他方の端部に位置する綴じ孔１４８との間の距離（図中「Ｗ１」）は、その支持部１４４の幅方向の寸法（図中「Ｗ２」）よりも大きい。すなわち、第１のシート１４０の複数の綴じ孔１４８は、複数の綴じ孔１４８の並ぶ方向において、インデックス部１４６の長さより長い部分に間隔を隔てて形成される。
【００５５】
支持部１４４の上方および下方には、直ぐ下面に綴じられる用紙９０に画線を書き込むことのできる空間を形成する書込み可能部１５０ａ、１５０ｂが形成される。書込み可能部１５０ａ、１５０ｂは、固体物の存在しない空間部で形成される。すなわち、この書込み可能空間１５０ａ，１５０ｂは、支持部を切欠くことによって形成された切欠部である。支持部１４４は、取付け部１４２の軸線方向（Ｌ１方向）に直交した方向にのびる上端辺１４４ａおよび下端辺１４４ｂを含み、支持部１４４の上部に形成される切欠部は、その外縁に、取付け部１４２の軸線方向（Ｌ１方向）にのびる端辺１４２ａと、支持部１４４の上端辺１４４ａとを含む。支持部１４４の下部に形成される切欠部は、その外縁に、取付け部１４２の軸線方向（Ｌ１方向）にのびる端辺１４２ｂと、支持部１４４の下端辺１４４ｂとを含む。インデックス部１４６は、取付け部１４２の軸線方向（Ｌ１方向）に直交した方向にのびる上端辺（すなわち、１４４ａの先端部分）および下端辺（すなわち、１４４ｂの先端部分）と、取付け部１４２の軸線方向（Ｌ１方向）にのびる右端辺とを有する。支持部１４４の上端辺１４４ａと下端辺１４４ｂとは、互いに平行またはほぼ平行である。そして、上端辺１４４ａと下端辺１４４ｂとの間の中心を通る線が軸線Ｌ２である。
【００５６】
第１のシート１４０には、直ぐ下面に綴じられた用紙９０に画線を書き込むことのできる空間を形成する書込み可能部１５０が、取付け部１４２の境界および支持部１４４の境界のうち少なくとも一つに続いて形成される。また、インデックス部１４２は、高さ方向の寸法が、複数の綴じ孔１４８のうちの一方の端部に位置する綴じ孔１４８と他方の端部に位置する綴じ孔１４８との間の距離よりも小さく形成される。さらに、支持部１４４は、高さ方向の寸法が、書込み可能部１５０を形成するために、複数の綴じ孔１４８のうちの一方の端部に位置する綴じ孔１４８と他方の端部に位置する綴じ孔１４８との間の距離よりも小さく形成される。
【００５７】
また、第１のシート１４０のインデックス部１４６の先端から延びるようにしおり部１４７が形成される。しおり部１４７の構成および効果は、上記した実施の形態と同様であるため、ここでは同様となる説明を繰り返さない。
【００５８】
図２５は、第２のシートが最上面となるように帳面を見開いたときの平面図である。第２のシート１４０は、その構成が、支持部１４２の形成される位置、インデックス部１４６に記載される文字およびしおり部が形成されないことを除いて、上述したこの変形例の第１のシート１４０と同様である。すなわち、第２のシート１４０は、長手方向にのび、その幅方向の一方の端辺が綴じ具７０に綴じられる取付け部１４２と、取付け部１４２の幅方向の他方の端辺の略中央部に形成された支持部１４４とを含む。すなわち、第２のシート１４０の支持部１４４は、上述した第１のシート１４０の支持部１４４よりもその幅方向の寸法だけ下側に帯状にのびるように形成される。取付け部１４２および支持部１４４を合わせた幅方向の寸法は、一緒に綴じられる用紙９０の幅方向の寸法にほぼ等しい。また、支持部１４４の先端には、用紙９０とともに綴じ具７０に綴じられたときに、用紙９０の外側（図中右側）に突出するインデックス部１４６が形成される。取付け部１４２と、支持部１４４と、インデックス部１４６とが一体的に形成されている。
【００５９】
取付け部１４２は、高さ方向に直線状に並べて形成された複数の綴じ孔１４８と、複数の綴じ孔１４８の近傍部分とからなり、高さ方向にのびている。支持部１４４は、インデックス部１４６を支持するもので、その軸線方向（Ｌ２方向）が取付け部１４２の軸線方向（Ｌ１方向）と交差する方向にのびる。インデックス部１４６は、その軸線方向（Ｌ３方向）が取付け部１４２の軸線方向（Ｌ１方向）に沿って情報を記入できるだけの高さ方向および幅方向の寸法を備えている。また、インデックス部１４６の軸線は、用紙９０の高さ方向にのびている。支持部１４４およびインデックス部１４６は、綴じ孔１４８（および綴じ孔９８）が並ぶ方向における寸法（すなわち、高さ方向の寸法）が等しい略矩形状であり、互いに一体的に形成される。また、支持部１４４の幅方向の寸法は、取付け部１４２の幅方向の寸法よりも小さい。また、第２のシート１４０のインデックス部１４６には、用紙９０に表された情報の索引となる「ＡＤＲＥＳＳ」の文字が記載される。
【００６０】
また、取付け部１４２の幅方向の一方の端辺には、リング部８０それぞれに対応した位置にリング部８０それぞれを挿通するための綴じ孔１４８が形成される。また、複数の綴じ孔１４８のうちで一方の端部に位置する綴じ孔１４８と、他方の端部に位置する綴じ孔１４８との間の距離（図中「Ｗ１」）は、その支持部１４４の幅方向の寸法（図中「Ｗ２」）よりも大きい。すなわち、第２のシート１４０の複数の綴じ孔１４８は、複数の綴じ孔１４８の並ぶ方向において、インデックス部１４６の長さより長い部分に間隔を隔てて形成される。
【００６１】
支持部１４４の上方および下方には、直ぐ下面に綴じられる用紙９０に画線を書き込むことのできる空間を形成する書込み可能部１５０ａ、１５０ｂが形成される。すなわち、この書込み可能空間１５０ａ，１５０ｂは、支持部を切欠くことによって形成された切欠部である。支持部１４４は、取付け部１４２の軸線方向（Ｌ１方向）に直交した方向にのびる上端辺１４４ａおよび下端辺１４４ｂを含み、支持部１４４の上部に形成される切欠部は、その外縁に、取付け部１４２の軸線方向（Ｌ１方向）にのびる端辺１４２ａと、支持部１４４の上端辺１４４ａとを含む。支持部１４４の下部に形成される切欠部は、その外縁に、取付け部１４２の軸線方向（Ｌ１方向）にのびる端辺１４２ｂと、支持部１４４の下端辺１４４ｂとを含む。インデックス部１４６は、取付け部１４２の軸線方向（Ｌ１方向）に直交した方向にのびる上端辺（すなわち、１４４ａの先端部分）および下端辺（すなわち、１４４ｂの先端部分）と、取付け部１４２の軸線方向（Ｌ１方向）にのびる右端辺とを有する。
【００６２】
第２のシート１４０には、直ぐ下面に綴じられた用紙９０に画線を書き込むことのできる空間を形成する書込み可能部１５０が、取付け部１４２の境界および支持部１４４の境界のうち少なくとも一つに続いて形成される。また、インデックス部１４２は、高さ方向の寸法が、複数の綴じ孔１４８のうちの一方の端部に位置する綴じ孔１４８と他方の端部に位置する綴じ孔１４８との間の距離よりも小さく形成される。さらに、支持部１４４は、高さ方向の寸法が、書込み可能部１５０を形成するために、複数の綴じ孔１４８のうちの一方の端部に位置する綴じ孔１４８と他方の端部に位置する綴じ孔１４８との間の距離よりも小さく形成される。
【００６３】
図２６は、第３のシートが最上面となるように帳面を見開いたときの平面図である。第３のシート１６０は、その構成が、支持部１６２の形成される位置およびインデックス部１６６に記載される文字を除いて、上述したこの変形例の第１のシート１４０および第２のシート１４０と同様である。すなわち、第３のシート１６０は、長手方向にのび、その幅方向の一方の端辺が綴じ具７０に綴じられる取付け部１６２と、取付け部１６２の幅方向の他方の端辺の略中央部よりも下側から帯状にのびるように形成された支持部１６４とを含む。ここで、略中央部よりも下側とは、支持部１６４の幅方向の寸法だけ略中央部よりも下側のことをいう。取付け部１６２および支持部１６４を合わせた幅方向の寸法は、一緒に綴じられる用紙９０の幅方向の寸法にほぼ等しい。また、支持部１６４の先端には、用紙９０とともに綴じ具７０に綴じられたときに、用紙９０の外側（図中右側）に突出するインデックス部１６６が形成される。取付け部１６２と、支持部１６４と、インデックス部１６６とが一体的に形成されている。
【００６４】
取付け部１６２は、用紙９０の高さ方向にのびている。支持部１６４は、インデックス部１６６を支持するもので、その軸線方向（Ｌ２方向）が取付け部１６２の軸線方向（Ｌ１方向）と交差する方向にのびる。インデックス部１６６は、その軸線方向（Ｌ３方向）が取付け部１６２の軸線方向（Ｌ１方向）に沿って情報を記入できるだけの高さ方向および幅方向の寸法を備えている。また、インデックス部１６６の軸線Ｌ３は、用紙９０の高さ方向にのびている。支持部１６４およびインデックス部１６６は、綴じ孔１６８（および綴じ孔９８）が並ぶ方向における寸法（すなわち、高さ方向の寸法）が等しい略矩形状であり、互いに一体的に形成される。また、支持部１６４の幅方向の寸法は、取付け部１６２の幅方向の寸法よりも小さい。また、第３のシート１６０のインデックス部１６６には、用紙９０に表された情報の索引となる「ＮＯＴＥ」の文字が記載される。
【００６５】
また、取付け部１６２の幅方向の一方の端辺には、リング部８０それぞれに対応した位置にリング部８０それぞれを挿通するための綴じ孔１６８が形成される。また、複数の綴じ孔１６８のうちで一方の端部に位置する綴じ孔１６８と、他方の端部に位置する綴じ孔１６８との間の距離（図中「Ｗ１」）は、その支持部１６４の幅方向の寸法（図中「Ｗ２」）よりも大きい。すなわち、第３のシート１６０の複数の綴じ孔１６８は、複数の綴じ孔１６８の並ぶ方向において、インデックス部１６６の長さより長い部分に間隔を隔てて形成される。
【００６６】
支持部１６４の上方および下方には、直ぐ下面に綴じられる用紙９０に画線を書き込むことのできる空間を形成する書込み可能部１７０ａ、１７０ｂが形成される。すなわち、この書込み可能空間１７０ａ，１７０ｂは、支持部を切欠くことによって形成された切欠部である。支持部１６４は、取付け部１６２の軸線方向（Ｌ１方向）に直交した方向にのびる上端辺１６４ａおよび下端辺１６４ｂを含み、支持部１６４の上部に形成される切欠部は、その外縁に、取付け部１６２の軸線方向（Ｌ１方向）にのびる端辺１６２ａと、支持部１６４の上端辺１６４ａとを含む。支持部１６４の下部に形成される切欠部は、その外縁に、取付け部１６２の軸線方向（Ｌ１方向）にのびる端辺１６２ｂと、支持部１６４の下端辺１６４ｂとを含む。インデックス部１６６は、取付け部１６２の軸線方向（Ｌ１方向）に直交した方向にのびる上端辺（すなわち、１６４ａの先端部分）および下端辺（すなわち、１６４ｂの先端部分）と、取付け部１６２の軸方線向にのびる右端辺とを有する。
【００６７】
第３のシート１６０には、直ぐ下面に綴じられた用紙９０に画線を書き込むことのできる空間を形成する書込み可能部１７０が、取付け部１６２の境界および支持部１６４の境界のうち少なくとも一つに続いて形成される。また、インデックス部１６２は、高さ方向の寸法が、複数の綴じ孔１６８のうちの一方の端部に位置する綴じ孔１６８と他方の端部に位置する綴じ孔１６８との間の距離よりも小さく形成される。さらに、支持部１６４は、高さ方向の寸法が、書込み可能部１７０を形成するために、複数の綴じ孔１６８のうちの一方の端部に位置する綴じ孔１６８と他方の端部に位置する綴じ孔１６８との間の距離よりも小さく形成される。
【００６８】
＜第６の変形例について＞
図２７は、この発明の一実施の形態に係る帳面の第６の変形例の第１のシートが積層された複数枚の用紙の最も上にある用紙の上面（すなわち、最上面）となるように見開いた状態を示す平面図である。なお、この変形例の帳面１０は、第１のシート１４０の取付け部を除いて、上記した第５の変形例と同様である。したがって同一部分には同じ参照番号を付し、同様となる説明は繰り返さない。
【００６９】
取付け部１４２の軸線をＬ１、支持部１４４の軸線をＬ２、インデックス部１４６の軸線をＬ３として、図中一点鎖線で示す。支持部１４４の軸線Ｌ２は、取付け部１４２の軸線Ｌ１と直交した方向（交差した方向）にのびる。支持部１４４の上端辺１４４ａと下端辺１４４ｂとは、互いに平行またはほぼ平行である。そして、上端辺１４４ａと下端辺１４４ｂとの間の中心を通る線が軸線Ｌ２である。また、インデックス部１４６の軸線Ｌ３は、取付け部１４２の軸線Ｌ１に平行またはほぼ平行にのびる。第１のシート１４０の第１の変形例は、取付け部１４２の長手方向の寸法が、上述した実施の形態に係る第１のシート１４０のそれよりも小さい。こうすることにより、画線を書き込むことのできる書込み可能部１５０をより大きくすることができる。また、第１のシート１４０のこの変形例は、その支持部１４４が、取付け部１４２の幅方向の他方の端辺の上端部から帯状にのびるように形成される。
【００７０】
支持部１４４の上方および下方には、直ぐ下面に綴じられる用紙９０に画線を書き込むことのできる空間を形成する書込み可能部１５０ａ、１５０ｂが形成される。すなわち、この書込み可能空間１５０ａ，１５０ｂは、支持部を切欠くことによって形成された切欠部である。支持部１４４は、取付け部１４２の軸線方向（Ｌ１方向）に直交した方向にのびる上端辺１４４ａおよび下端辺１４４ｂを含み、支持部１４４の上部に形成される切欠部は、その外縁に、支持部１４４の上端辺１４４ａを含む。支持部１４４の下部に形成される切欠部は、その外縁に、取付け部１４２の軸線方向（Ｌ１方向）にのびる端辺１４２ｂと、支持部１４４の下端辺１４４ｂとを含む。インデックス部１４６は、取付け部１４２の軸線方向（Ｌ１方向）に直交した方向にのびる上端辺（すなわち、１４４ａの先端部分）および下端辺（すなわち、１４４ｂの先端部分）と、取付け部１４２の軸線方向（Ｌ１方向）にのびる右端辺１４６とを有する。
【００７１】
なお、第１のシート１４０のこの変形例においても、複数の綴じ孔１４８のうちで一方の端部に位置する綴じ孔１４８と、他方の端部に位置する綴じ孔１４８との間の距離（図８の「Ｗ１」に該当）が、支持部１４４の幅方向の寸法（図８の「Ｗ２」に該当）よりも大きい。すなわち、第１のシート１４０の複数の綴じ孔１４８は、複数の綴じ孔１４８の並ぶ方向において、インデックス部（第１のシート１４０）の長さより長い部分に間隔を隔てて形成される。こうすることにより、綴じ孔１４８それぞれとリング部８０それぞれとの間の隙間により生じるぐらつきが抑制されるため、第１のシート１４０のこの変形例を安定した状態で綴じ具７０に綴じることができる。
【００７２】
また、第１のシート１４０のインデックス部１４６の先端から延びるようにしおり部１４７が形成される。しおり部１４７の構成および効果は、上記した実施の形態と同様であるため、ここでは同様となる説明を繰り返さない。
【００７３】
なお、第１のシート１４０のこの変形例は、取付け部１４２，１４２，１６２の長手方向の寸法が綴じ具７０のそれよりも小さいため、上方および下方に複数のリング部８０が余った状態になる。したがって、第１のシート１４０は、綴じる位置を高さ方向において変更することができる。すなわち、第１のシート１４０をそのまま第２のシート１４０または第３のシート１６０として用いることができる。１４０１４０このように、取付け部１４２，１４２，１６２の長手方向の寸法を小さくした場合、表紙１２の幅方向の端辺に形成される裏インデックス覗見凹部６０（または表インデックス覗見凹部３０）の位置に合わせて綴じ位置を変更するだけで、第１のシート１４０を多様に用いることができる。      
【００７４】
＜第７の変形例について＞
図２８は、この発明の一実施の形態に係る帳面の第６の変形例の第１のシートが積層された複数枚の用紙の最も上にある用紙の上面（すなわち、最上面）となるように見開いた状態を示す平面図である。なお、この変形例の帳面１０は、第１のシート１４０の支持部を除いて、上記した第６の変形例と同様である。したがって同一部分には同じ参照番号を付し、同様となる説明は繰り返さない。
【００７５】
取付け部１４２の軸線をＬ１、支持部１４４の軸線をＬ２、インデックス部１４６の軸線をＬ３として、図中一点鎖線で示す。支持部１４４の軸線Ｌ２は、取付け部１４２の軸線Ｌ１と直交した方向（交差した方向）にのびる。また、インデックス部１４６の軸線Ｌ３は、取付け部１４２の軸線Ｌ１に平行またはほぼ平行にのびる。支持部１４４の上端辺１４４ａと下端辺１４４ｂとは、互いに平行またはほぼ平行である。そして、上端辺１４４ａと下端辺１４４ｂとの間の中心を通る線が軸線Ｌ２である。第１のシート１４０のこの変形例は、支持部１４４の幅方向の寸法が、上述した実施の形態に係る第１のシート１４０のそれよりも小さい。言い換えると、上述した実施の形態に係る第１のシートは、その支持部１４４と、その先端のインデックス部１４６の幅方向の寸法が等しいものであったが、この第１のシートのこの変形例は、その支持部１４４の幅方向の寸法が、その先端のインデックス部１４６よりも小さい。具体的には、上述した実施の形態に係る第１のシート１４０の支持部１４４の幅方向の両端を長手方向にわたって切り欠いたような形状であり、且つ先端のインデックス部１４６が上方および下方に突出した形状である。こうすることにより、画線を書き込むことのできる書込み可能部１５０をより大きくすることができる。
【００７６】
支持部１４４の上方および下方には、直ぐ下面に綴じられる用紙９０に画線を書き込むことのできる空間を形成する書込み可能部１５０ａ、１５０ｂが形成される。すなわち、この書込み可能空間１５０ａ，１５０ｂは、支持部を切欠くことによって形成された切欠部である。インデックス部１４６は、支持部１４４の先端から取付け部１４２の軸線方向（Ｌ１方向）において上方に突出する上方突出部と、下方に突出する下方突出部とを有する。支持部１４４の上部に形成される切欠部は、その外縁に、取付け部１４２の軸線方向（Ｌ１方向）にのびる端辺１４２ａと、支持部１４４の上端辺１４４ａと、インデックス部１４６の上方突出部の左端辺１４６ａを含む。支持部１４４の下部に形成される切欠部は、その外縁に、取付け部１４２の軸線方向（Ｌ１方向）にのびる端辺１４２ｂと、支持部１４４の下端辺１４４ｂと、インデックス部１４６の下方突出部の左端辺１４６ｂとを含む。
【００７７】
なお、第１のシート１４０のこの変形例においても、複数の綴じ孔１４８のうちで一方の端部に位置する綴じ孔１４８と、他方の端部に位置する綴じ孔１４８との間の距離（図８の「Ｗ１」に該当）が、支持部１４４の幅方向の寸法（図８の「Ｗ２」に該当）よりも大きい。すなわち、第１のシート１４０の複数の綴じ孔１４８は、複数の綴じ孔１４８の並ぶ方向において、インデックス部（第１のシート１４０）の長さより長い部分に間隔を隔てて形成される。こうすることにより、綴じ孔１４８それぞれとリング部８０それぞれとの間の隙間により生じるぐらつきが抑制されるため、第１のシート１４０のこの変形例を安定した状態で綴じ具７０に綴じることができる。
【００７８】
また、第１のシート１４０のインデックス部１４６の先端から延びるようにしおり部１４７が形成される。しおり部１４７の構成および効果は、上記した実施の形態と同様であるため、ここでは同様となる説明を繰り返さない。
【００７９】
＜第８の変形例について＞
図２９は、この発明の一実施の形態に係る帳面の第８の変形例の第１のシートが積層された複数枚の用紙の最も上にある用紙の上面（すなわち、最上面）となるように見開いた状態を示す平面図である。なお、この変形例の帳面１０は、第１のシート１４０のインデックス部の形状を除いて、上記した第７の変形例と同様である。したがって同一部分には同じ参照番号を付し、同様となる説明は繰り返さない。取付け部１４２の軸線をＬ１、支持部１４４の軸線をＬ２、インデックス部１４６の軸線をＬ３として、図中一点鎖線で示す。支持部１４４の軸線Ｌ２は、取付け部１４２の軸線Ｌ１と直交した方向（交差した方向）にのびる。また、インデックス部１４６の軸線Ｌ３は、取付け部１４２の軸線Ｌ１に平行またはほぼ平行にのびる。支持部１４４の上端辺１４４ａと下端辺１４４ｂとは、互いに平行またはほぼ平行である。そして、上端辺１４４ａと下端辺１４４ｂとの間の中心を通る線が軸線Ｌ２である。
【００８０】
第１のシート１４０のこの変形例は、支持部１４４の上端辺と、インデックス部１４６の上端辺とが直線状になる。そして、インデックス部１４６が、支持部１４４の先端から下方にのみ突出した形状である。なお、インデックス部１４６が、支持部１４４の先端から上方にのみ突出した形状であってもよい。このように、インデックス部１４６は、支持部１４４の先端から取付け部１４２の軸線方向（Ｌ１方向）において上方および下方の少なくとも一つに突出するよう形成されてもよい。
【００８１】
また、第１のシート１４０のインデックス部１４６の先端から延びるようにしおり部１４７が形成される。しおり部１４７の構成および効果は、上記した実施の形態と同様であるため、ここでは同様となる説明を繰り返さない。
【００８２】
＜第９の変形例について＞
図３０は、この発明の一実施の形態に係る帳面の第９の変形例の第１のシートが積層された複数枚の用紙の最も上にある用紙の上面（すなわち、最上面）となるように見開いた状態を示す平面図である。なお、この変形例の帳面１０は、第１のシート１４０の支持部を除いて、上記した第６の変形例と同様である。したがって同一部分には同じ参照番号を付し、同様となる説明は繰り返さない。取付け部１４２の軸線をＬ１、支持部１４４の軸線をＬ２、インデックス部１４６の軸線をＬ３として、図中一点鎖線で示す。支持部１４４の軸線Ｌ２は、取付け部１４２の軸線Ｌ１の斜め下方向（交差した方向）にのびる。また、インデックス部１４６の軸線Ｌ３は、取付け部１４２の軸線Ｌ１に平行またはほぼ平行にのびる。支持部１４４の上端辺１４４ａと下端辺１４４ｂとは、互いに平行またはほぼ平行である。そして、上端辺１４４ａと下端辺１４４ｂとの間の中心を通る線が軸線Ｌ２である。したがって、第１のシート１４０のこの変形例は、高さ方向において、インデックス部１４４の中央部が取付け部１４２の中央部よりも下方に位置する。なお、支持部１４４は、図中斜め上方向にのびた形状であってもよい。このように、支持部１４６は、取付け部１４２の軸線方向（Ｌ１方向）に交差した方向にのびるように形成されていればよい。
【００８３】
また、第１のシート１４０のインデックス部１４６の先端から延びるようにしおり部１４７が形成される。しおり部１４７の構成および効果は、上記した実施の形態と同様であるため、ここでは同様となる説明を繰り返さない。
【００８４】
＜第１０の変形例について＞
図３１は、この発明の一実施の形態に係る帳面の第１０の変形例の第１のシートが積層された複数枚の用紙の最も上にある用紙の上面（すなわち、最上面）となるように見開いた状態を示す平面図である。なお、この変形例の帳面１０は、第１のシート１４０の支持部を除いて、上記した第９の変形例と同様である。したがって同一部分には同じ参照番号を付し、同様となる説明は繰り返さない。
【００８５】
取付け部１４２の軸線をＬ１、支持部１４４の軸線をＬ２、インデックス部１４６の軸線をＬ３として、図中一点鎖線で示す。支持部１４４の軸線Ｌ２は、取付け部１４２の軸線Ｌ１と交差した方向にのびる。また、インデックス部１４６の軸線Ｌ３は、取付け部１４２の軸線Ｌ１に平行またはほぼ平行にのびる。支持部１４４の軸線Ｌ２は、取付け部１４２の他方の端辺の略中央から高さ方向の上側に突出するように円弧状にのび、その先から取付け部１４２の軸線方向（Ｌ１方向）に直交した方向にのびる。支持部１４４の上端縁１４４ａと下端縁１４４ｂとは、互いに平行またはほぼ平行である。そして、上端縁１４４ａと下端縁１４４ｂとの間の中心を通る線が軸線Ｌ２である。すなわち、支持部１４４の上端縁１４４ａおよび下端縁１４４ｂも、取付け部１４２の他方の端辺から高さ方向の上側に突出するように円弧状にのび、その先から取付け部１４２の軸線方向（Ｌ１方向）に直交した方向にのびる。したがって、第１のシート１４０のこの変形例は、その支持部１４４が、円弧状に形成された部分を含む。言い換えると、支持部１４４が、波打ったような形状の部分を含む。なお、支持部１４４は、複数の円弧状の部分を含む波打ったような形状であってもよいし、斜め上方向に直線状にのびた後で斜め下方向に直線状にのびる部分を含むジグザグしたような形状であってもよい。このように、支持部１４６は、取付け部１４２の軸線方向（Ｌ１方向）に交差した方向にのびるように形成されていればよい。
【００８６】
また、第１のシート１４０のインデックス部１４６の先端から延びるようにしおり部１４７が形成される。しおり部１４７の構成および効果は、上記した実施の形態と同様であるため、ここでは同様となる説明を繰り返さない。
【００８７】
＜第１１の変形例について＞
図３２は、この発明の一実施の形態に係る帳面の第１０の変形例の第１のシートが積層された複数枚の用紙の最も上にある用紙の上面（すなわち、最上面）となるように見開いた状態を示す平面図である。なお、この変形例の帳面１０は、第１のシート１４０の支持部を除いて、上記した第６〜１０の変形例と同様である。したがって同一部分には同じ参照番号を付し、同様となる説明は繰り返さない。取付け部１４２の軸線をＬ１、支持部１４４の軸線をＬ２、インデックス部１４６の軸線をＬ３として、図中一点鎖線で示す。支持部１４４の軸線Ｌ２は、取付け部１４２の軸線Ｌ１と交差した方向にのびる。また、インデックス部１４６の軸線Ｌ３は、取付け部１４２の軸線Ｌ１に平行またはほぼ平行にのびる。
【００８８】
第１のシート１４０のこの変形例は、第１のシート１４０のインデックス部１４０を除く部分の外周形状が、一緒に綴じられる用紙９０のそれとほぼ同じであり、且つ外周の内側の部分に刳り抜いたような切欠き部を有して形成される。すなわち、支持部１４４は、その上端辺を形成する外枠１４４ｇ、その下端辺を形成する外枠１４４ｈ、その右端辺を形成する外枠１４４ｉからなる。上端辺を形成する外枠１４４ｇおよび下端辺を形成する外枠１４４ｈは、取付け部１４２の軸線Ｌ１と直交した方向（交差した方向）にのびる。また、右端辺を形成する外枠１４４ｉは、取付け部１４２の軸線Ｌ１と平行またはほぼ平行にのびる。切欠き部は、上述した書込み可能部１５０に該当する。
【００８９】
このように支持部１４４の内側を刳り抜くようにして書込み可能部１５０を形成することにより、一つの大きな書込み可能部１５０を形成できるため、直ぐ下面に綴じられた用紙９０に効率よく画線を書き込むことができる。なお、支持部１４４の上端辺を形成する外枠１４４ａのその幅方向（すなわち、帳面１０の高さ方向）の寸法と、下端辺を形成する外枠１４４ｂの幅方向（すなわち、帳面１０の高さ方向）の寸法とを足し合わせた寸法は、取付け部１４２のその軸線方向（Ｌ１方向）の寸法（すなわち、手帳１０の高さ方向）の寸法よりも小さい。なお、このように支持部１４４の内側を刳り抜くようにして形成した書込み可能部１５０の外周形状は、たとえば、四角形、円形、格子状、横または縦に直線状の切欠き部が複数並んだ形状など様々なものが考えられるが、直ぐ下面に綴じられる用紙９０に画線を書き込みやすい形状であることが好ましい。
【００９０】
また、第１のシート１４０のインデックス部１４６の先端から延びるようにしおり部１４７が形成される。しおり部１４７の構成および効果は、上記した実施の形態と同様であるため、ここでは同様となる説明を繰り返さない。
【００９１】
図３３は、図２４に示す手帳のＸＸＸＩＩＩ‐ＸＸＸＩＩＩ断面図である。裏表紙部４０に形成される係合部５２には、複数の係合凹部５４および複数の係合凹部５４の間に同一直線状に形成される複数の係合円弧凸部５８が形成される。この係合円弧凸部５８は、係合凹部５４および複数の係合凹部５４の間から背表紙部６８の方向に湾曲するようにして突設され、その直径がリング部８０のそれと等しい。なお、この係合円弧凸部５８に対応する位置に配設されたリング部８０は、その他のリング部８０よりもその円弧の長さが短い。そして、リング部８０が綴じられたとき、係合円弧凸部５８の先端と、この係合円弧凸部５８に対応する位置に配設されたリング部８０の他方の端部８０ｂとが当接する。このとき、図示するように、係合円弧凸部５８と、この係合円弧凸部５８に対応する位置に配設されたリング部８０とがあわさって、その他のリング部８０と同一の半円形状となる。このような係合円弧凸部５８は、綴じ具７０に綴じられた複数枚の用紙９０およびインデックスシート１００に追加で用紙９０および／またはインデックスシート９０を綴じるとき有効に作用する。すなわち、綴じ具７０を開いた状態にしても、予め綴じ具７０に綴じられた複数枚の用紙９０およびインデックスシート１００が、係合円弧凸部５８の外壁に当接することにより、位置決めされた状態を維持できる。
【００９２】
＜まとめについて＞
なお、上記した一実施の形態および第１〜４の変形例では、第１のシート１４０のインデックス部１４６およびしおり部１４７が、高さ方向において、第２のシート１２０および第３のシート１６０の間にある場合について説明し、且つ第５〜１１の変形例では、第１のシート１４０のインデックス部１４６およびしおり部１４７が、高さ方向において、第２のシート１２０および第３のシート１６０の上方に形成される場合について説明した。しかしながら、この場合に限られず、しおり部１４７を有する第１のシート１４０は、高さ方向において、第２のシート１２０および第３のシート１６０の下方に形成されてもよい。
【００９３】
また、上記した実施の形態では、第１のシート１４０のみがしおり部１４７を有し、その他の第２のシート１２０および第３のシート１６０はしおり部を有さない場合について説明した。しかしながら、この場合に限られず、第１のシート１４０、第２のシート１２０および第３のシート１６０の全てがしおり部を有しても良い。また、第１のシート１４０および第２のシート１２０がしおり部を有し、第３のシート１６０がしおり部を有さなくても良い。また、第１のシート１４０および第３のシート１６０がしおり部を有し、第２のシート１４０がしおり部を有さなくても良いし、
【００９４】
なお、上記した実施の形態で説明したインデックスシート１００が用いられる帳面１０は、手帳として用いることができる。また、帳面１０は、学習ノートであってもよく、この場合、インデックス部（インデックス部１２６，１４６，１６６）それぞれには、「国語」「数学」「英語」などの教科名が記載されてもよい。また、その他のノートや任意のファイルなどの帳面１０にインデックスシート１００を用いてもよい。このような場合、インデックス部（インデックス部１２６，１４６，１６６）それぞれは、予め適切な索引用の文字を記載して形成されてもよいし、予め文字を記載せず、ユーザーが適切な索引用の文字を選んで記載できるように形成されてもよい。また、インデックス部（インデックス部１２６，１４６，１６６）に文字を記載するには、プリントや手書きする他に、シールを貼り付けるなどしてもよい。また、インデックス部１００（インデックス部１２６，１４６，１６６）を袋状にして、その内部に文字の記載された紙を挿入するようにしてもよい。
【００９５】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００９６】
１０  手帳
１２  表紙
２０  表表紙部
２０ａ  内面
２０ｂ  外面
２２  リング嵌合孔
２４  仮留め凸部
３０  表インデックス覗見凹部
３２  第２の表インデックス覗見凹部
３４  第１の表インデックス覗見凹部
３６  第３の表インデックス覗見凹部
４０  裏表紙部
４２  固定部
４４  固定凹部
４６  第１の固定凸孔
５２  係合部
５４  係合凹部
５６  係合孔
５８  係合円弧凸部
６０  裏インデックス覗見凹部
６２  第２の裏インデックス覗見凹部
６４  第１の裏インデックス覗見凹部
６６  第３の裏インデックス覗見凹部
６８  背表紙部
７０  綴じ具
７２  軸部材
７４  本軸部
７６  第２の固定凸孔
８０  リング部
８０ａ  一方の端部
８０ｂ  他方の端部
９０  用紙
９８  綴じ孔
１００  インデックスシート
１０２  取付け部
１０４  支持部
１０６  インデックス部
１２０  第２のシート
１２２  取付け部
１２４  支持部
１２６  インデックス部
１２８  綴じ孔
１３０  書込み可能部
１４０  第１のシート
１４２  取付け部
１４４  支持部
１４５  固着部
１４６  インデックス部
１４６ａ  折返し部
１４７  しおり部
１４８  綴じ孔
１４９  屈曲可能部
１５０  書込み可能部
１６０  第３のシート
１６２  取付け部
１６４  支持部
１６６  インデックス部
１６８  綴じ孔
１７０  書込み可能部
２１０  軸孔
２２０  棒部材
【図１】
2016203524.tif 000003
【図２】
2016203524.tif 000004
【図３】
2016203524.tif 000005
【図４】
2016203524.tif 000006
【図５】
2016203524.tif 000007
【図６】
2016203524.tif 000008
【図７】
2016203524.tif 000009
【図８】
2016203524.tif 000010
【図９】
2016203524.tif 000011
【図１０】
2016203524.tif 000012
【図１１】
2016203524.tif 000013
【図１２】
2016203524.tif 000014
【図１３】
2016203524.tif 000015
【図１４】
2016203524.tif 000016
【図１５】
2016203524.tif 000017
【図１６】
2016203524.tif 000018
【図１７】
2016203524.tif 000019
【図１８】
2016203524.tif 000020
【図１９】
2016203524.tif 000021
【図２０】
2016203524.tif 000022
【図２１】
2016203524.tif 000023
【図２２】
2016203524.tif 000024
【図２３】
2016203524.tif 000025
【図２４】
2016203524.tif 000026
【図２５】
2016203524.tif 000027
【図２６】
2016203524.tif 000028
【図２７】
2016203524.tif 000029
【図２８】
2016203524.tif 000030
【図２９】
2016203524.tif 000031
【図３０】
2016203524.tif 000032
【図３１】
2016203524.tif 000033
【図３２】
2016203524.tif 000034
【図３３】
2016203524.tif 000035
【図３４】
2016203524.tif 000036